(57)【要約】【課題】停電発生時にも動作すると共に、構成が簡略化されたエレベータのかご内換気制御システムを提供すること。【解決手段】正常時には電源切換スイッチ６の切換接点６ａはａ側入力端子側に位置しており、吸気用換気ファン９及び排気用換気ファン１０には交直変換器５からの直流電力が供給されると共に、バッテリー７には直流電力が蓄電される。停電等により交流電源装置２の出力電圧が所定レベルまで低下した場合、電源監視手段８は切換接点６ａをｂ側入力端子側へ切り換える。この構成では、用いている電力変換器は交直変換器５のみの１台であり、構成が簡略化されコスト的にも有利になっている。【選択図】図１
2008074599.tif 000002
【特許請求の範囲】
【請求項１】
交流電源装置からの交流電力を直流電力に変換する交直変換器と、
前記交直変換器からの直流電力を蓄電するバッテリーと、
前記交直変換器又は前記バッテリーのいずれかからの直流電力を出力する電源切換スイッチと、
前記電源切換スイッチからの直流電力により稼働するかご内換気ファンと、
前記交流電源装置の出力電圧を監視し、前記電源切換スイッチの切換接点を電圧正常時には前記交直変換器側となるように、電圧異常時には前記バッテリー側となるように制御する電源監視手段と、
を備えたことを特徴とするエレベータのかご内換気制御システム。
【請求項２】
前記かご内換気ファンは、吸気用換気ファン及び排気用換気ファンにより構成されるものである、
ことを特徴とする請求項１記載のエレベータのかご内換気制御システム。
【請求項３】
前記かご内換気ファンは回転方向の切換が可能なものである、
ことを特徴とする請求項１記載のエレベータのかご内換気制御システム。
【請求項４】
前記かご内換気ファンは複数段階の速度制御が可能なものである、
ことを特徴とする請求項１記載のエレベータのかご内換気制御システム。
【請求項５】
前記電源切換スイッチは、手動操作による切換が可能なものである、
ことを特徴とする請求項１記載のエレベータのかご内換気制御システム。
【発明の詳細な説明】
【技術分野】
【０００１】
本発明は、エレベータのかご内換気制御システムに関するものである。
【背景技術】
【０００２】
エレベータの乗りかご内部は、外部と遮断されてほぼ密室状態となっているので、乗客に不快感を与えないようにするため、換気ファンにより外部との間で換気を行うようにしている。この換気ファンは、コンバータ（交直変換器）及びインバータ（直交変換器）などの電力変換器を経由した電力供給に基づき運転されるようになっており、コンバータは建物内受電設備から電力供給を受けている。そのため、停電発生時の閉じ込め事故等に備えて、乗りかごには非常用電源としてのバッテリーが搭載されているのが通常である（例えば、特許文献１参照）。
【０００３】
そして、バッテリーはエレベータの正常運転時には上記コンバータからの直流電力を蓄電しており、停電発生時にはこのコンバータに代わってバッテリーがインバータに直流電力を供給する。したがって、換気ファンは、このインバータからの交流電力により、停電期間中も稼働することができるため、乗客が閉じ込められてしまったとしてもかご室内の換気を維持することができるようになっている。
【特許文献１】特願平９−７７４３０号公報
【発明の開示】
【発明が解決しようとする課題】
【０００４】
しかし、上記の特許文献１に係る構成では、コンバータ及びインバータの２つの電力変換器を用いているために、構成が複雑化し、その分コスト的に不利なものとなっている。
【０００５】
本発明は上記事情に鑑みてなされたものであり、停電発生時にも動作すると共に、構成が簡略化されたエレベータのかご内換気制御システムを提供することを目的としている。
【課題を解決するための手段】
【０００６】
上記課題を解決するための手段として、請求項１記載の発明は、交流電源装置からの交流電力を直流電力に変換する交直変換器と、交直変換器からの直流電力を蓄電するバッテリーと、交直変換器又はバッテリーのいずれかからの直流電力を出力する電源切換スイッチと、電源切換スイッチからの直流電力により稼働するかご内換気ファンと、交流電源装置の出力電圧を監視し、電源切換スイッチの切換接点を電圧正常時には交直変換器側となるように、電圧異常時にはバッテリー側となるように制御する電源監視手段と、を備えたことを特徴とする。
【０００７】
請求項２記載の発明は、請求項１記載の発明において、かご内換気ファンは、吸気用換気ファン及び排気用換気ファンにより構成されるものである、ことを特徴とする。
【０００８】
請求項３記載の発明は、請求項１記載の発明において、かご内換気ファンは回転方向の切換が可能なものである、ことを特徴とする。
【０００９】
請求項４記載の発明は、請求項１記載の発明において、かご内換気ファンは複数段階の速度制御が可能なものである、ことを特徴とする。
【００１０】
請求項５記載の発明は、請求項１記載の発明において、電源切換スイッチは、手動操作による切換が可能なものである、ことを特徴とする。
【発明の効果】
【００１１】
本発明によれば、電力変換器を交直変換器のみとしているので、構成を簡略化することができる。
【発明を実施するための最良の形態】
【００１２】
図１は、本発明の実施形態に係るエレベータのかご内換気制御システムの構成図である。この図において、制御盤１は交流電源装置２を有している。制御盤１は、機械室が設置されるタイプのエレベータシステムではこの機械室内部に設置され、また、機械室が設置されないタイプのエレベータシステムでは、特定階床の乗場ホール又は昇降路内の特定個所に配置されるものである。交流電源装置２は降圧トランス等の機器により構成されており、建物内受電設備からの交流電力の入力に基づき、所定電圧及び所定周波数の交流電力を出力するようになっている。
【００１３】
乗りかご３の屋根上部には機器配設領域４が形成されており、この機器配設領域４内に、交直変換器５、電源切換スイッチ６、バッテリー７、及び電源監視手段８が配設されている。そして、乗りかご３には直流モータを用いて構成されている吸気用換気ファン９、及び排気用換気ファン１０が配設されている。
【００１４】
交直変換器５は、交流電源装置２からの交流電力を直流電力に変換して出力するものであり、その出力端子は電源切換スイッチ６のａ側入力端子、及びバッテリー７の入力端子に接続されている。そして、このバッテリー７の出力端子は電源切換スイッチ６のｂ側入力端子に接続されている。
【００１５】
電源切換スイッチ６は、電源監視手段８によって切換制御される切換接点６ａを有している。この切換接点６ａは、常時はａ側入力端子側に位置しているが、交流電源装置２の出力電圧を監視する電源監視手段８からの制御信号によってｂ側入力端子側に切り換えられるようになっている。
【００１６】
したがって、吸気用換気ファン９及び排気用換気ファン１０は、交直変換器５からａ側入力端子を経由して供給される直流電力、又はバッテリー７からｂ側入力端子を経由して供給される直流電力のいずれかによって稼働されるようになっている。
【００１７】
次に、本実施形態の動作を図２のフローチャートに基づき説明する。電源監視手段８は、交流電源装置２の出力電圧が正常であるか否かを常時監視している（ステップ１）。そして、電源監視手段８は、出力電圧が正常であれば、電源切換スイッチ６の切換接点６ａがａ側入力端子側に位置しており、吸気用換気ファン９及び排気用換気ファン１０には交直変換器５から直流電力が供給されていることを確認する（ステップ２）。この場合、吸気用換気ファン９及び排気用換気ファン１０は、交直変換器５からの直流電力によって稼働されるが、このときバッテリー７には交直変換器５からの出力電圧の印加によって直流電力が蓄電されている。
【００１８】
なお、エレベータ制御装置（図示せず）は、吸気用換気ファン９及び排気用換気ファン１０の双方を同時に稼働させたり、一方のみを稼働させるなど、その運転制御内容を予め設定されている条件やプログラムに基づき変更できるようになっている。
【００１９】
一方、ステップ１において、停電等により出力電圧が所定レベルまで低下し異常であった場合、電源監視手段８は、電源切換スイッチ６の切換接点６ａをａ側入力端子からｂ側入力端子に切り換える（ステップ３）。したがって、吸気用換気ファン９及び排気用換気ファン１０は、バッテリー７に蓄電されていた直流電力により稼働される。これにより、乗りかご３が停電によって階床間で停止し閉じ込め事故が発生した場合でも、かご室内の換気機能を確保することができ、乗客の不快感を低減することができる。
【００２０】
電源監視手段８は、電源切換スイッチ６の切換接点６ａをｂ側入力端子側へ切り換えた後も交流電源装置２の出力電圧を監視し、出力電圧が正常レベルまで復帰したか否かを判別している（ステップ４）。復帰していなければ、切換接点６ａをそのままｂ側入力端子側に維持しているが、復帰していれば、切換接点６ａをａ側入力端子側に戻すようにする（ステップ５）。
【００２１】
これにより、吸気用換気ファン９及び排気用換気ファン１０は、再び交直変換器５からの直流電力によって稼働される状態となり、また、バッテリー７には交直変換器５からの出力電圧が印加され、直流電力が蓄電されることになる。
【００２２】
このように、図１の構成によれば、正常時には電力変換器からの電力により換気ファンを運転し、一方、停電等の異常時にはバッテリーからの蓄積電力により換気ファンを運転することができる。そして、電力変換器の数を従来システムよりも少ない１台としているので、構成が簡略化されコスト的にも有利なものとなっている。
【００２３】
なお、上記実施形態では、換気ファンとして吸気用換気ファン９及び排気用換気ファン１０の２つのファンを用いているが、回転方向を正転又は逆転のいずれにも切り換えることが可能な換気ファンだけを用いて構成することも可能である。そして、これらの換気ファンの回転速度は、複数段階の速度制御が可能な換気ファンを採用して、きめ細かな換気制御を行う構成としてもよい。
【００２４】
また、上記実施形態では、電源切換スイッチ６を乗りかご３の屋根上部に形成された機器配設領域４内に配設しているが、乗りかご３内の制御盤内部等に配設する構成としてもよい。これによれば、地震等の災害により電源切換スイッチ６に対する電源監視手段８の切換制御が不調となったような場合でも、かご内の乗客が自らの手動操作によって強制的に切換を行うことができ換気機能を確保することが可能になる。
【図面の簡単な説明】
【００２５】
【図１】本発明の実施形態に係るエレベータのかご内換気制御システムの構成図。
【図２】図１の動作を説明するためのフローチャート。
【符号の説明】
【００２６】
１：制御盤
２：交流電源装置
３：乗りかご
４：機器配設領域
５：交直変換器
６：電源切換スイッチ
６ａ：切換接点
７：バッテリー
８：電源監視手段
９：吸気用換気ファン
１０：排気用換気ファン
【図１】
2008074599.tif 000003
【図２】
2008074599.tif 000004